(57)【特許請求の範囲】
【請求項１】
可撓性の裏面材によって複数の長尺状木質片を巻回可能に並設して連結して成ると共に温水が供給される温水パイプが埋設された連結床板と、前記長尺状木質片と同方向の連結床板の両端にそれぞれ連結されたテーパ付き縦縁材と、前記長尺状木質片と直交方向の連結床板の両端にそれぞれ付設される一対のテーパ付き横縁材と、前記縦縁材と横縁材との間の４隅にそれぞれ付設されるテーパ付きコーナ材とを備え、
前記各長尺状木質片は、複数の天然木のムク板を長手方向に接合一体化することにより構成されており、
前記各長尺状木質片には、床上へ敷設される際に床側となる裏面側が開放されたパイプ埋設用の凹溝が形成されると共に、この凹溝には前記温水パイプが埋設されており、かつ、この温水パイプが埋設された状態の前記凹溝は、前記可撓性の裏面材で覆われており、
前記一対の横縁材のうち、一方の横縁材の長手方向一側面部には凸部が、他方の横縁材の長手方向一側面部には凹部がそれぞれ設けられ、
前記一対の横縁材は、それの略全長にわたって前記連結床板の両端にそれぞれ凹凸嵌合させる構成としたことを特徴とする巻回可能な上敷式木質床暖房パネル。
【請求項２】
前記各コーナ材は、このコーナ材の裏面側に取り付けられる略Ｌ字状の連結金具を介して前記縦縁材と横縁材に結合させる構成としたことを特徴とする請求項１に記載の巻回可能な上敷式木質床暖房パネル。
【請求項３】
前記連結金具は、各先端部が縦縁材と横縁材にそれぞれ延設され、かつ、それら延設部分を前記縦縁材と横縁材にそれぞれネジ止めすることを特徴とする請求項２に記載の巻回可能な上敷式木質床暖房パネル。
【発明の詳細な説明】
【０００１】
【発明の属する技術分野】
本発明は、熱源機などからの温水が供給されて床暖房を行う巻回可能な上敷式木質床暖房パネルに関し、詳しくは、床上に敷設して使用される巻回可能な上敷式木質床暖房パネルに関する。
【０００２】
【従来の技術】
従来、室内を床面から暖房する暖房装置として、一戸建て住宅にあっては、大引とフローリング等の床板との間に、或るいは、大引の上に敷いた下地合板の上などに床暖房放熱器としての床暖房パネルを組み込み、一方、マンション等の集合住宅にあっては、コンクリートスラブ床面の上に直接、或るいは、コンクリートスラブ床面の上に敷いた下地合板の上などに床暖房放熱器としての床暖房パネルを組み込み、この床暖房パネルに熱源機より暖房用温水を循環供給して床面を暖め、室内を暖房する床暖房装置が知られている。
【０００３】
また、上記した床暖房装置の放熱器としては、例えば、特開平７−１５８８７１号公報に開示されているように、基体となる木質板状体の上表面に溝を設け、この溝を含む木質板状体の表面側をアルミ箔等の均熱シートで覆うとともに、溝内に温水パイプを収容してそれらの表面をフローリング等の表面材で覆う構造のものが知られている。
【０００４】
【発明が解決しようとする課題】
ところで、上記した構造の床暖房装置は、施工のための床工事が大がかりとなるため、一般的に一戸建て住宅や集合住宅の新築工事の際に施工されるものであり、既築住宅の床に新たに設置するには大改造になって費用も高額となった。
【０００５】
本発明は上述の実情に鑑みてなされたものであり、室床の基調を損なうことなく、既築住宅のフローリング等の床上に敷設して使用でき、施工性に優れ、かつ、床上への敷設による段差の違和感を抑えることができる巻回可能な上敷式木質床暖房パネルを提供することを目的としている。
【０００６】
【課題を解決するための手段】
請求項１に記載の本発明では、可撓性の裏面材によって複数の長尺状木質片を巻回可能に並設して連結して成ると共に温水が供給される温水パイプが埋設された連結床板と、前記長尺状木質片と同方向の連結床板の両端にそれぞれ連結されたテーパ付き縦縁材と、前記長尺状木質片と直交方向の連結床板の両端にそれぞれ付設される一対のテーパ付き横縁材と、前記縦縁材と横縁材との間の４隅にそれぞれ付設されるテーパ付きコーナ材とを備え、前記各長尺状木質片は、複数の天然木のムク板を長手方向に接合一体化することにより構成されており、前記各長尺状木質片には、床上へ敷設される際に床側となる裏面側が開放されたパイプ埋設用の凹溝が形成されると共に、この凹溝には前記温水パイプが埋設されており、かつ、この温水パイプが埋設された状態の前記凹溝は、前記可撓性の裏面材で覆われており、前記一対の横縁材のうち、一方の横縁材の長手方向一側面部には凸部が、他方の横縁材の長手方向一側面部には凹部がそれぞれ設けられ、前記一対の横縁材は、それの略全長にわたって前記連結床板の両端にそれぞれ凹凸嵌合させる構成としたことを特徴とする。
【０００７】
請求項２に記載の本発明では、請求項１に記載の巻回可能な上敷式木質床暖房パネルにおいて、前記各コーナ材は、このコーナ材の裏面側に取り付けられる略Ｌ字状の連結金具を介して前記縦縁材と横縁材に結合させる構成としたことを特徴とする。
【０００８】
請求項３に記載の本発明では、請求項２に記載の巻回可能な上敷式木質床暖房パネルにおいて、前記連結金具は、各先端部が縦縁材と横縁材にそれぞれ延設され、かつ、それら延設部分を前記縦縁材と横縁材にそれぞれネジ止めすることを特徴とする。
【０００９】
【００１０】
【００１１】
【発明の実施の形態】
以下、本発明の上敷式木質床暖房パネルの一実施形態例について、図１ないし図９に基づいて説明する。上敷式木質床暖房パネル（以下、木質床暖房パネルという）Ａは、例えば、厚さ１２ｍｍ、幅７５ｍｍ、長さ２４００ｍｍの長尺状木質片２、２・・・を、可撓性の裏面材３によって横方向に複数枚（実施形態例では２４枚）連結して巻回可能（図９参照）に構成した連結床材１を備え、前記長尺状木質片２と同方向の連結床材１の左右両端部には、図３に示すように、外側に向けてテーパ加工した縦縁材４、４が取り付けられている。
【００１２】
前記長尺状木質片２は、天然木である広葉樹のアルダーや針葉樹の杉等を製材して約１００〜８００ｍｍの長さにした３〜５枚のムクの木板を長手方向に接合一体化して構成したものであり、この長尺状木質片２のそれぞれには、図３に示すように、床上に敷設される際に床側となる裏面側が開放されたパイプ埋設用の凹溝５、５が形成され、これら各凹溝５には架橋ポリエチレン製の温水パイプ６が埋設され、この温水パイプ６には、図示しない熱源機からの温水が供給されて連結床材１の略全体に循環される。また、図３に示すように、前記凹溝５、５は、前記温水パイプ６が埋設された状態において前記可撓性の裏面材３で覆われている。
【００１３】
図３は、図１に示す前記木質床暖房パネルＡのＡ−Ａ断面図であり、この図２に示すように、前記長尺状木質片２の長手方向の左右両側面部には、一方にオス側凹凸部Ｘが他方にメス側凹凸部Ｙがそれぞれ設けられ、また、前記一方の縦縁材４における長手方向の一側面部には、メス側凹凸部Ｙが設けられ、これらオス・メス側凹凸部Ｘ、Ｙによって、長尺状木質片２同士及び長尺状木質片２と縦縁材４は互いに凹凸嵌合している。
【００１４】
また、前記連結床板１の裏面側の略全域には裏面材３が接着され、この裏面材３によって各長尺状木質片２及び各縦縁材４を巻回可能に連結させている。この裏面材３は、前記温水パイプ６に一部を接触させたアルミニウム箔製の均熱シート９と、この均熱シート９の外側に接着した不織布１０とで構成されている。
【００１５】
前記長尺状木質片２と直交方向の連結床材１の上下両端部には、やはり外側に向けてテーパ加工した一対の横縁材１１、１１が取り付けられている。これら一対の横縁材１１は前記連結床材１を平板状に広げた状態で取り付けられるものであり、図４及び図５に示すように、一対の横縁材１１のうち、一方の横縁材１１の長手方向一側面部には凸部Ｅが設けられ、また他方の横縁材１１の長手方向一側面部には凹部Ｆが設けられ、これら一対の横縁材１１、１１は、それの略全長にわたって長尺状木質片２と直交方向の連結床材１の両端部にそれぞれ凹凸嵌合によってさね継ぎされる構造である。
【００１６】
１２、１２は、前記縦縁材４、４と横縁材１１、１１との間の木質床暖房パネルＡの４隅に付設したコーナ材であり、これらコーナ材１２は合成樹脂にて成形され、外側に向かって下り勾配のテーパ面１２Ａ（図７参照）が形成されており、そして、これらコーナ材１２はこのコーナ材１２の裏面側に取り付けられる略Ｌ字状の連結金具１３、１３を介して前記縦縁材４と横縁材１１に結合されている。
【００１７】
前記連結金具１３は、図７に示すように、それの中央部１３Ａがコーナ材１２の裏面側にネジ１４止めされている。そして、この連結金具１３の各先端部１３Ｂ、１３Ｃは、前記縦縁材４と横縁材１１の端部の裏面側に形成された凹所１５内に延設され、かつ、その延設部分である各先端部１３Ｂ、１３Ｃは、縦縁材４と横縁材１１の端部にそれぞれネジ１６、１７止めされる。１８はネジ１６の頭部を収容するために縦縁材４に設けた凹み、１９はネジ１７の頭部を収容するために横縁材１１に設けた凹みであり、これらの凹み１８、１９はネジ止め後にキャップ２０、２１にて埋められる。
【００１８】
また、前記横縁材１１の一方には、図６及び図８に示すように、前記温水パイプ６と往き・戻り温水配管２２、２２との接続部２３、２４を介在させる切欠２５が設けられ、この切欠２５は、接続部２３、２４の接続作業完了後に、カバー２６にて覆われる。このカバー２６は合成樹脂にて作られており、横縁材１１の裏面側から挿入される複数本のネジ（図示せず）によって横縁材１１に取り付けられる。なお、前記温水配管２２、２２の他端は室内の壁等に付設された温水コンセント（図示せず）を介して屋外の熱源機に配管接続される。また、前記各横縁材１１の裏面には、図４及び図５に示すように、不織布にてなる裏面材２７を接着にて取り付けている。
【００１９】
図９は、木質床暖房パネルＡの梱包時、或るいは収容時における連結床材１の巻回状態を説明する説明図であり、前記縦縁材４を含む連結床材１は、図９に示すように、巻き畳まれて、前記横縁材１１、コーナ材１３及び連結金具１３は、連結床材１から分離されて、梱包箱内に収められる。
【００２０】
次に、木質床暖房パネルＡの設置の仕方について説明する。まず、図９に示すような巻回状態の連結床材１を、裏面材３を下にしてフローリング等の床上に広げた後、連結床材１に横縁材１１、１１を取り付ける。しかる後、連結金具１３をネジ１４止めしたコーナ材１２を、横縁材１１と縦縁材４との間に位置させ、そして、前記連結金具１３の各先端部１３Ｂ、１３Ｃを縦縁材４と横縁材１１の端部にそれぞれネジ１６、１７止めすることにより、各コーナ材１２を横縁材１１と縦縁材４との間の木質床暖房パネルＡの４隅に取り付ける。そして、温水パイプ６に温水配管２２、２２を接続させた後、接続部２３、２４を介在させた横縁材１１の切欠２５をカバー２６で覆い、その後、温水配管２２先端のプラグ（図示せず）を温水コンセントに接続すれば良い。
【００２１】
本実施形態例によれば、木質床暖房パネルＡは、可撓性の裏面材３によって複数の長尺状木質片２、２を巻回可能に連結して成ると共に長尺状木質片２、２に温水が供給される温水パイプ６、６を埋設して構成した連結床板１と、長尺状木質片２と同方向の連結床板１の両端にそれぞれ連結されたテーパ付きで温水パイプが埋設されていない縦縁材４、４と、長尺状木質片２と直交方向の連結床板１の両端にそれぞれ付設されるテーパ付きで温水パイプが埋設されていない一対の横縁材１１、１１と、縦縁材４、４と横縁材１１、１１との間の木質床暖房パネルＡの４隅にそれぞれ付設されるテーパ付きコーナ材１２、１２とを備えた構成であり、前記各長尺状木質片２、２は、複数の天然木のムク板を長手方向に接合一体化することにより構成されており、前記各長尺状木質片２、２には、床上へ敷設される際に床側となる裏面側が開放されたパイプ埋設用の凹溝５が形成されると共に、この凹溝５には前記温水パイプ６が埋設されており、かつ、この温水パイプ６が埋設された状態の前記凹溝５は、前記可撓性の裏面材３で覆われている構成であるから、連結床板１の長尺状木質片２自体が表面材となり、室床の基調を損なわずに、既築住宅のフローリング等の床上に敷設して使用でき、施工性に優れているばかりでなく、木質床暖房パネルＡはそれの全周が外側に向かって下り勾配のテーパ加工が施された状態となり、段差による違和感を最小限に抑えることができ、段差でのつまずきが防止される等、使い勝手に優れている。
【００２２】
また、前記一対の横縁材１１、１１のうち、一方の横縁材１１の長手方向一側面部には凸部Eが、他方の横縁材１１の長手方向一側面部には凹部Fがそれぞれ設けられ、前記一対の横縁材１１、１１は、それの略全長にわたって前記連結床板１の両端にそれぞれ凹凸嵌合させる構成であるから、長尺状木質片２を巻回可能に連結してなる連結床板１全体の水平性を確保でき、床面との間に隙間を生じさせない安定した敷設状態が実現できる。
【００２３】
また、木質床暖房パネルＡの４隅に配置されるコーナ材１２を、このコーナ材１２の裏面側に取り付けられる略Ｌ字状の連結金具１３を介して縦縁材４と横縁材１１に結合させる構成であるから、縦縁材４とコーナ材１２並びにコーナ材１２と横縁材１１とを簡単、かつ、強固に連結することができる。
【００２４】
また、上述の一実施形態例では、縦縁材４及び横縁材１１の端部に、連結用のネジ１６、１７の頭部を収容する凹み１８、１９を設け、これら凹み１８、１９をネジ止め後にキャップ２０、２１にて埋めるようにしたので、連結用のネジ１６、１７をキャップ２０、２１で覆い隠すことができ、木質床暖房パネルＡの外観を美麗に仕上げることができる。
【００２５】
【発明の効果】
請求項１に記載の本発明においては、可撓性の裏面材によって複数の長尺状木質片を巻回可能に並設して連結して成ると共に温水が供給される温水パイプが埋設された連結床板と、前記長尺状木質片と同方向の連結床板の両端にそれぞれ連結されたテーパ付き縦縁材と、前記長尺状木質片と直交方向の連結床板の両端にそれぞれ付設される一対のテーパ付き横縁材と、前記縦縁材と横縁材との間の４隅にそれぞれ付設されるテーパ付きコーナ材とを備え、前記各長尺状木質片は、複数の天然木のムク板を長手方向に接合一体化することにより構成されており、前記各長尺状木質片には、床上へ敷設される際に床側となる裏面側が開放されたパイプ埋設用の凹溝が形成されると共に、この凹溝には前記温水パイプが埋設されており、かつ、この温水パイプが埋設された状態の前記凹溝は、前記可撓性の裏面材で覆われている構成としたから、裏面材が下になり、天然木のムクの板が上表面になって露呈し、その結果、室床の基調を損なわずに、既築住宅のフローリング等の床上に敷設して使用でき、施工性に優れた温水床暖房を実現できるばかりでなく、外周部の全周が外側に向かって下り勾配のテーパ加工が施された状態となり、段差による違和感を最小限に抑えることが可能となり、使い勝手に優れた巻回可能な上敷式木質床暖房パネルを提供することができる。その上、前記一対の横縁材のうち、一方の横縁材の長手方向一側面部には凸部が、他方の横縁材の長手方向一側面部には凹部がそれぞれ設けられ、前記一対の横縁材は、それの略全長にわたって前記連結床板の両端にそれぞれ凹凸嵌合させる構成としたから、長尺状木質片を巻回可能に連結してなる連結床板全体の水平性を確保でき、床面との間に隙間を生じさせない安定した敷設状態が実現できる。
【００２６】
【００２７】
【図面の簡単な説明】
【図１】本発明の一実施形態例を示す上敷式木質床暖房パネルの平面図である。
【図２】同じく要部の拡大平面図である。
【図３】図１のＡ−Ａ断面の拡大断面図である。
【図４】図１のＢ−Ｂ断面の拡大断面図である。
【図５】図１のＣ−Ｃ断面の拡大断面図である。
【図６】連結床板から横縁材及びコーナ材を分離させた状態を示す平面図である。
【図７】要部の分解状態を示す斜視図である。
【図８】カバーを外した状態を示す要部の平面図である。
【図９】巻回状態の上敷式木質床暖房パネルの外観図である。
【符号の説明】
Ａ      上敷式木質床暖房パネル
Ｅ      横縁材の凸部
Ｆ      横縁材の凹部
１      連結床板
２      長尺状木質片
３      裏面材
４      縦縁材
５      凹溝
６      温水パイプ
１１      横縁材
１２      コーナ材
１３      連結金具
１３Ｂ    連結金具の先端部
１３Ｃ    連結金具の先端部
１６      ネジ
１７      ネジ
【図１】
0003594456.tif 000002
【図２】
0003594456.tif 000003
【図３】
0003594456.tif 000004
【図４】
0003594456.tif 000005
【図５】
0003594456.tif 000006
【図６】
0003594456.tif 000007
【図７】
0003594456.tif 000008
【図８】
0003594456.tif 000009
【図９】
0003594456.tif 000010